(57)【要約】【課題】複数の機能を備える電子機器を提供する。【解決手段】電子機器１は、気圧センサ部１１と、加速度検出部１２と、制御部１３と、を備える。気圧センサ部１１は、気圧を検出する。加速度検出部１２は、加速度を検出する。制御部１３は、加速度検出部１２により検出した加速度に基づいて、静止状態又は移動状態の種別を判定し、当該判定した結果と、気圧センサ部１１により検出した気圧に基づいて、身体活動量を算出する。制御部１３は、判定した移動状態の種別に基づいて、気圧センサ部１１が気圧を検出する周期を変更する。【選択図】図１
2015008806.tif 000002
【特許請求の範囲】
【請求項１】
気圧を検出する気圧センサ部と、
加速度を検出する加速度検出部と、
前記加速度検出部により検出した加速度に基づいて、静止状態又は移動状態の種別を判定し、当該判定した結果と、前記気圧センサ部により検出した気圧に基づいて、身体活動量を算出する制御部と、を備え、
前記制御部は、判定した移動状態の種別に基づいて、前記気圧センサ部が気圧を検出する周期を変更する電子機器。
【請求項２】
前記制御部は、前記静止状態であると判定した場合、前記気圧センサ部の駆動を停止させる請求項１記載の電子機器。
【請求項３】
前記制御部は、前記静止状態であると判定した場合、前記気圧センサ部に気圧を検出させる動作を停止する請求項１記載の電子機器。
【請求項４】
前記制御部は、前記移動状態の種別を判定した後、平均移動速度を算出し、当該移動状態の種別と、当該平均移動速度に基づいて、前記気圧センサ部が気圧を検出する周期を変更する請求項１記載の電子機器。
【請求項５】
前記制御部は、前記移動状態の種別として、歩行をしている状態、走行をしている状態及び移動体に乗って移動している状態を判定する請求項１記載の電子機器。
【発明の詳細な説明】
【技術分野】
【０００１】
本発明は、加速度センサを有する電子機器に関する。
【背景技術】
【０００２】
電子機器には、加速度センサによって検出された値に基づいて、歩数をカウントする機能を有しているものがある（例えば、特許文献１を参照。）。
【先行技術文献】
【特許文献】
【０００３】
【特許文献１】特開２００４−１２０６８８号公報
【発明の概要】
【発明が解決しようとする課題】
【０００４】
ところで、電子機器では、歩行をカウントする以外の機能を備えることが求められている。
【０００５】
本発明は、複数の機能を備える電子機器を提供することを目的とする。
【課題を解決するための手段】
【０００６】
電子機器は、気圧センサ部と、加速度検出部と、制御部と、を備える。前記気圧センサ部は、気圧を検出する。前記加速度検出部は、加速度を検出する。前記制御部は、前記加速度検出部により検出した加速度に基づいて、静止状態又は移動状態の種別を判定し、当該判定した結果と、前記気圧センサ部により検出した気圧に基づいて、身体活動量を算出する。前記制御部は、判定した移動状態の種別に基づいて、前記気圧センサ部が気圧を検出する周期を変更する。
【０００７】
前記制御部は、前記静止状態であると判定した場合、前記気圧センサ部の駆動を停止させることが好ましい。
【０００８】
前記制御部は、前記静止状態であると判定した場合、前記気圧センサ部に気圧を検出させる動作を停止することが好ましい。
【０００９】
前記制御部は、前記移動状態の種別を判定した後、平均移動速度を算出し、当該移動状態の種別と、当該平均移動速度に基づいて、前記気圧センサ部が気圧を検出する周期を変更することが好ましい。
【００１０】
前記制御部は、前記移動状態の種別として、歩行をしている状態、走行をしている状態及び移動体に乗って移動している状態を判定することが好ましい。
【発明の効果】
【００１１】
本発明によれば、複数の機能を備える電子機器を提供することができる。
【図面の簡単な説明】
【００１２】
【図１】電子機器の一実施形態について説明するためのブロック図である。
【図２】加速度検出部によって検出される加速度の一例について説明する図である。
【発明を実施するための形態】
【００１３】
以下に、本発明の電子機器の一実施形態について説明する。図１は、電子機器の一実施形態について説明するためのブロック図である。
電子機器１は、例えば、携帯電話機、タブレット型のコンピュータ、歩数計又は携帯型のゲーム機等である。
電子機器１は、気圧センサ部１１と、加速度検出部１２と、制御部１３と、を備える。
【００１４】
気圧センサ部１１は、気圧を検出する。電子機器１は、気圧センサ部１１によって気圧が測定されることにより、高度又は高度変化を検出することができる。
加速度検出部１２は、加速度を検出する。加速度検出部１２は、Ｘ軸、Ｙ軸及びＺ軸の加速度を検出する。
【００１５】
制御部１３は、加速度検出部１２により検出した加速度に基づいて、静止状態又は移動状態の種別を判定する。制御部１３は、移動状態の種別として、歩行をしている状態、走行をしている状態及び移動体に乗って移動している状態を判定することが好ましい。
【００１６】
図２は、加速度検出部１２によって検出される加速度の一例について説明する図である。
制御部１３は、加速度検出部１２によって検出された加速度を検出する。制御部１３は、Ｘ軸方向の加速度（図２のＡ）、Ｙ軸方向の加速度（図２のＢ）、Ｚ軸方向の加速度（図２のＣ）、及び各加速度を合成したベクトル値（図２のＤ）を加速度検出部１２から受信する。加速度が変化する場合としては、例えば、次の場合がある。すなわち、歩行をしている場合、乗り物に乗車している場合、及び電子機器１が操作される場合等である。このため、制御部１３は、例えば、各加速度を合成したベクトル値に基づいて、上記のいずれの場合であるかを判定する。例えば、人が歩行している場合、人が走っている（走行している）場合、自転車に乗車している場合、自動車に乗車している場合、電車（例えば、在来線）に乗車している場合、新幹線に乗車している場合、電子機器１が操作される場合等のそれぞれの場合毎に、加速度の振幅（振動量）及び振動周期が異なる。よって、制御部１３は、それぞれの場合を検出するために、それぞれ毎に振幅の閾値及び振動周期の閾値を設定する。また、制御部１３は、短い時間の加速度に基づいて乗り物の判別を行うと、電子機器１の一時的な振動等によって、誤判定を行う可能性がある。このため、制御部１３は、所定の期間の加速度を取得して、その所定の期間において連続的に振幅及び振動周期の条件を満たせば、その条件に対応する乗り物等の種別に該当すると判断する。これにより、制御部１３は、移動状態の種別を判定することができる。
また、制御部１３は、加速度の変化がない又は略ない場合には、静止状態にあると判定する。
【００１７】
制御部１３は、判定した結果と、気圧センサ部１１により検出した気圧に基づいて、身体活動量を算出する。身体活動量とは、例えば、運動量（メッツ、エクササイズ）、又はエネルギー消費量（ｃａｌ）等のことである。例えば、エネルギー消費量は、メッツを利用して以下の式（１）により算出することができる。
エネルギー消費量（ｋｃａｌ）＝１．０５×メッツ×時間×体重（ｋｇ）  …（１）
【００１８】
また、制御部１３は、気圧センサ部１１により検出された気圧に基づいて得られる高度変化に応じて、メッツを変更する。制御部１３は、加速度検出部１２の検出結果に基づいて判定した移動状態の種別が、人が走っている状態の場合には、例えば、１０歩毎にメッツを更新する。すなわち、制御部１３は、１０歩毎に、気圧センサ部１１の検出結果に基づいて、高度を取得する。制御部１３は、人の歩幅と、１０歩毎の高度の変化とに基づいて、路面の勾配を算出する。ここで、人の歩幅は、例えば、ユーザによって予め登録されている。そして、制御部１３は、算出された勾配に基づいて、メッツを変更する。例えば、制御部１３は、勾配が１〜３％の場合にメッツを６．５とし、勾配が３〜６％の場合にメッツを７．０とし、勾配が−１〜−３％の場合にメッツを５．５とし、勾配が−３〜−６％の場合にメッツを５．０とする。なお、６．４ｋｍ／ｈで平地を走る場合のメッツは６．０である。
【００１９】
制御部１３は、加速度検出部１２の検出結果に基づいて判定した移動状態の種別が人の歩行である場合には、例えば、１０歩毎にメッツを更新する。すなわち、制御部１３は、１０歩毎に、気圧センサ部１１の検出結果に基づいて高度を取得する。そして、制御部１３は、人の歩幅と、１０歩毎の高度の変化とに基づいて、路面の勾配を算出する。ここで、人の歩幅は、例えば、ユーザによって予め登録されている。そして、制御部１３は、算出された勾配に基づいて、メッツを変更する。なお、１０歩歩く前に歩行が終了した場合、例えば、７歩で歩行が終了した場合には、７歩分の高度変化に基づいて、路面の勾配を算出する。
【００２０】
また、制御部１３は、加速度検出部１２の検出結果に基づいて判定した移動状態の種別が自転車への乗車である場合には、１０秒毎にメッツを更新する。すなわち、制御部１３は、１０秒毎に、気圧センサ部１１の検出結果に基づいて、高度を取得する。そして、制御部１３は、走行距離と、１０秒毎の高度の変化とに基づいて、路面の勾配を算出する。ここで、走行距離は、例えば、予め設定された速度（一例として８．９ｋｍ／ｈ）と、時間（１０秒）とに基づいて、得られる。そして、制御部１３は、算出された勾配に基づいて、メッツを変更する。
【００２１】
制御部１３は、判定した移動状態の種別に基づいて、気圧センサ部１１が気圧を検出する周期（以下、「検出周期」という場合がある。）を変更する。制御部１３は、人が歩いていると判定した場合には、例えば、気圧センサ部１１の検出周期を１秒に設定する。また、制御部１３は、人が走っていると判定した場合には、例えば、気圧センサ部１１の検出周期を０．５秒に設定する。また、制御部１３は、自転車に乗っていると判定した場合には、例えば、気圧センサ部１１の検出周期を０．１秒に設定する。
【００２２】
気圧センサ部１１が気圧を検出する場合には、電力を消費する。一方、電子機器１の移動速度が遅い場合には、移動速度が速い場合に比べて高度の変化が少ないため、気圧センサ部１１は、頻繁に気圧を検出する必要がない。したがって、気圧センサ部１１は、移動速度が遅い場合には、移動速度が速い場合に比べて検出周期を長くすることにより、電力の消費を抑えるようにする。
【００２３】
よって、電子機器１は、静止状態又は移動状態の種別の判定と、例えば、エネルギー消費量の計算とを行うことができるので、複数の機能を備えることができる。また、電子機器１は、移動状態の種別により気圧センサ部１１の検出周期を変更するので、消費電力を抑えることが可能になる。
【００２４】
制御部１３は、静止状態であると判定した場合、気圧センサ部１１の駆動を停止させることが好ましい。加速度検出部１２の検出結果に基づいて静止状態と判定される場合には、高度が変化する可能性は少ない。また、静止状態の場合には、運動に基づくエネルギーが消費される可能性は少ない。このため、制御部１３は、気圧センサ部１１に対して気圧を検出させるための信号を送信しないことにより、気圧センサ部１１の駆動を停止させる。
これにより、電子機器１は、気圧センサによって電力が消費されることを抑制することができる。
【００２５】
制御部１３は、静止状態であると判定した場合、気圧センサ部１１に気圧を検出させる動作を停止することが好ましい。加速度検出部１２の検出結果に基づいて静止状態と判定される場合には、高度が変化する可能性は少ない。また、静止状態の場合には、運動に基づくエネルギーが消費される可能性は少ない。このため、静止状態と判定した場合には、気圧センサ部１１は、気圧を検出する動作を停止する。
【００２６】
制御部１３は、移動状態の種別を判定した後、平均移動速度を算出することが好ましい。さらに、制御部１３は、移動状態の種別と平均移動速度とに基づいて、気圧センサ部１１が気圧を検出する周期を変更することが好ましい。人が歩行している場合又は人が走っている場合には、制御部１３は、加速度検出部１２の検出結果に基づいて歩数をカウントすることができる。そして、制御部１３は、カウントされた歩数と、予め定められた歩幅と、加速度検出部１２によって加速度を検出している時間と、に基づいて、平均移動速度を求めることができる。電子機器１の移動速度が遅い場合には、移動速度が速い場合に比べて高度の変化が少ないため、気圧センサ部１１は、頻繁に気圧を検出する必要がない。よって、制御部１３は、移動状態の種別と平均移動速度とに基づいて、気圧センサ部１１の検出周期を変更する。
これにより、電子機器１は、移動速度が速い場合に比べて気圧センサ部１１の検出周期を長くすることにより、電力の消費を抑えることができる。また、電子機器１は、気圧センサ部１１の感度を下げることなく、高感度（高精度）の検出が可能になる。
【符号の説明】
【００２７】
１  電子機器
１１  気圧センサ部
１２  加速度検出部
１３  制御部
【図１】
2015008806.tif 000003
【図２】
2015008806.tif 000004